【手続補正書】
【提出日】令和3年7月30日(2021.7.30)
【手続補正１】
【補正対象書類名】明細書
【補正対象項目名】発明の名称
【補正方法】変更
【補正の内容】
【発明の名称】固体撮像装置、電子機器
【手続補正２】
【補正対象書類名】特許請求の範囲
【補正対象項目名】全文
【補正方法】変更
【補正の内容】
【特許請求の範囲】
【請求項１】
フォトダイオードと、
前記フォトダイオードのアノードが電気的に接続される第１の配線と、
前記第１の配線と電気的に接続される第２の配線と、
ゲートが第３の配線と電気的に接続され、ソースまたはドレインの一方が前記フォトダイオードのカソードと電気的に接続され、かつ、ソースまたはドレインの他方が第４の配線と電気的に接続される第１のトランジスタと、
ゲートが前記第４の配線と電気的に接続され、かつ、ソースまたはドレインの一方が第５の配線と電気的に接続される第２のトランジスタと、
ゲートが第６の配線と電気的に接続され、ソースまたはドレインの一方が前記第２のトランジスタのソースまたはドレインの他方と電気的に接続され、かつ、ソースまたはドレインの他方が第７の配線と電気的に接続される第３のトランジスタと、
を有する画素を複数含む、固体撮像装置であって、
前記第１の配線は、前記第２の配線と交差し、
前記第１の配線は、平面視において凸部を有し、
平面視において、前記凸部は、前記アノードと重なりを有し、
前記第４の配線は、前記第１の配線及び前記第５の配線と同層に配置され、かつ、平面視において前記第１の配線と前記第５の配線との間に配置され、
前記第２の配線は、前記第３の配線及び前記第６の配線と同層に配置され、
前記第５の配線は、前記第２の配線、前記第３の配線及び前記第６の配線と交差し、
前記フォトダイオードの側面は、絶縁層と接する領域を有し、
前記第１の配線と前記第２の配線とを電気的に接続するためのコンタクトホールは、前記絶縁層と重なりを有し、
一の画素における前記第４の配線と、前記一の画素に隣接する画素との間には、一定電位の配線が配置されている、固体撮像装置。
【請求項２】
フォトダイオードと、
前記フォトダイオードのアノードが電気的に接続される第１の配線と、
前記第１の配線と電気的に接続される第２の配線と、
ゲートが第３の配線と電気的に接続され、ソースまたはドレインの一方が前記フォトダイオードのカソードと電気的に接続され、かつ、ソースまたはドレインの他方が第４の配線と電気的に接続される第１のトランジスタと、
ゲートが前記第４の配線と電気的に接続され、かつ、ソースまたはドレインの一方が第５の配線と電気的に接続される第２のトランジスタと、
ゲートが第６の配線と電気的に接続され、ソースまたはドレインの一方が前記第２のトランジスタのソースまたはドレインの他方と電気的に接続され、かつ、ソースまたはドレインの他方が第７の配線と電気的に接続される第３のトランジスタと、
を有する画素を複数含む、固体撮像装置であって、
前記第１の配線は、前記第２の配線と交差し、
前記第１の配線は、平面視において凸部を有し、
平面視において、前記凸部は、前記アノードと重なりを有し、
前記第４の配線は、前記第１の配線及び前記第５の配線と同層に配置され、かつ、平面視において前記第１の配線と前記第５の配線との間に配置され、
前記第２の配線は、前記第３の配線及び前記第６の配線と同層に配置され、
前記第５の配線は、前記第２の配線、前記第３の配線及び前記第６の配線と交差し、
前記フォトダイオードの側面は、絶縁層と接する領域を有し、
前記第１の配線と前記第２の配線とを電気的に接続するためのコンタクトホールは、前記絶縁層と重なりを有し、
一の画素における前記第４の配線と、前記一の画素に隣接する画素の電位が変動する配線との間には、一定電位の配線が配置されている、固体撮像装置。
【請求項３】
フォトダイオードと、
前記フォトダイオードのアノードが電気的に接続される第１の配線と、
前記第１の配線と電気的に接続される第２の配線と、
ゲートが第３の配線と電気的に接続され、ソースまたはドレインの一方が前記フォトダイオードのカソードと電気的に接続され、かつ、ソースまたはドレインの他方が第４の配線と電気的に接続される第１のトランジスタと、
ゲートが前記第４の配線と電気的に接続され、かつ、ソースまたはドレインの一方が第５の配線と電気的に接続される第２のトランジスタと、
ゲートが第６の配線と電気的に接続され、ソースまたはドレインの一方が前記第２のトランジスタのソースまたはドレインの他方と電気的に接続され、かつ、ソースまたはドレインの他方が第７の配線と電気的に接続される第３のトランジスタと、
を有する画素を複数含む、固体撮像装置であって、
前記第１の配線は、前記第２の配線と交差し、
前記第１の配線は、平面視において凸部を有し、
平面視において、前記凸部は、前記アノードと重なりを有し、
前記第４の配線は、前記第１の配線及び前記第５の配線と同層に配置され、かつ、平面視において前記第１の配線と前記第５の配線との間に配置され、
前記第２の配線は、前記第３の配線及び前記第６の配線と同層に配置され、
前記第５の配線は、前記第２の配線、前記第３の配線及び前記第６の配線と交差し、
前記フォトダイオードの側面は、絶縁層と接する領域を有し、
前記第１の配線と前記第２の配線とを電気的に接続するためのコンタクトホールは、前記絶縁層と重なりを有し、
一の画素における前記第４の配線と、前記一の画素に隣接する画素との間には、電源線が配置されている、固体撮像装置。
【請求項４】
フォトダイオードと、
前記フォトダイオードのアノードが電気的に接続される第１の配線と、
前記第１の配線と電気的に接続される第２の配線と、
ゲートが第３の配線と電気的に接続され、ソースまたはドレインの一方が前記フォトダイオードのカソードと電気的に接続され、かつ、ソースまたはドレインの他方が第４の配線と電気的に接続される第１のトランジスタと、
ゲートが前記第４の配線と電気的に接続され、かつ、ソースまたはドレインの一方が第５の配線と電気的に接続される第２のトランジスタと、
ゲートが第６の配線と電気的に接続され、ソースまたはドレインの一方が前記第２のトランジスタのソースまたはドレインの他方と電気的に接続され、かつ、ソースまたはドレインの他方が第７の配線と電気的に接続される第３のトランジスタと、
を有する画素を複数含む、固体撮像装置であって、
前記第１の配線は、前記第２の配線と交差し、
前記第１の配線は、平面視において凸部を有し、
平面視において、前記凸部は、前記アノードと重なりを有し、
前記第４の配線は、前記第１の配線及び前記第５の配線と同層に配置され、かつ、平面視において前記第１の配線と前記第５の配線との間に配置され、
前記第２の配線は、前記第３の配線及び前記第６の配線と同層に配置され、
前記第５の配線は、前記第２の配線、前記第３の配線及び前記第６の配線と交差し、
前記フォトダイオードの側面は、絶縁層と接する領域を有し、
前記第１の配線と前記第２の配線とを電気的に接続するためのコンタクトホールは、前記絶縁層と重なりを有し、
一の画素における前記第４の配線と、前記一の画素に隣接する画素の電位が変動する配線との間には、電源線が配置されている、固体撮像装置。
【請求項５】
請求項１乃至請求項４のいずれか一において、
前記コンタクトホールは、前記カソードと重なりを有さない、固体撮像装置。
【請求項６】
請求項１乃至請求項５のいずれか一に記載の前記固体撮像装置を有する電子機器。